(57)【要約】【課題】電気掃除機の排気口から出る排気には、紙パックでとりきれない粉塵が多く含まれ、室内の環境を悪化させている。粉塵には、細菌やカビ、アレルゲン等も含まれており、人体にも有害である。粉塵を出さない掃除機を提供することを目的とする。【解決手段】電気掃除機内に水（液体）を入れた集塵容器を配置して集塵することにより、粉塵を容器内の水で補足することにより、排気中の粉塵を除去する。その際、集塵容器内の水（液体）が飛散しモータ・ファン部に流入するため、板状体とともに細孔を有するパイプ状吸引装置をモータ・ファン部と集塵装置の繋ぎ部に設置することにより解決することができる。【選択図】    図２
2006239362.tif 000002
【特許請求の範囲】
【請求項１】
集塵モータが発生する吸引力により吸塵口から流入させた気流に含まれている塵埃を、集塵装置内の水（液体）により補足する掃除機において、モータ・ファン部と集塵容器の接合部に、集塵容器内の水（液体）がモータ・ファン部に吸引されることを防止するための板状体とともに、吸引のため細孔を有するパイプ状吸引装置を有することを特徴とする掃除機。
【発明の詳細な説明】
【技術分野】
【０００１】本発明は、集塵モータが発生する吸引力により吸塵口から流入させた気流に含まれている塵埃を除去するため、水（または液体）を入れた集塵装置を備えた電気掃除機に関する。
【背景技術】
【０００２】従来、集塵モータが発生する吸引力により吸塵口から流入させた気流に含まれている塵埃を除去するため、紙パックフィルタを使用する方法や、また塵埃を分離する集塵装置としては、いわゆるサイクロン式の集塵装置（特許文献１参照）や、分離した塵埃を圧縮する圧縮式の集塵装置（特許文献２参照）などが提案されていた。【０００３】
【特許文献１】特公昭６２−５０１４１号公報
【特許文献２】実公昭５４−１１７４５号公報
【発明が解決しようとする課題】
【０００４】しかしながら、紙パックフィルタでは気流中の細かい粉塵を除去することが困難であることや、サイクロン式の集塵装置等では、装置が複雑化して装置が大きくなる等、掃除機のコスト上昇にも関わる問題があった。
【０００５】本発明はこのような課題を解決するために、簡素な構成で効果的に塵埃を除去することができる電気掃除機の集塵装置を提供することを目的とする。
【課題を解決するための手段】
【０００６】本発明は、集塵モータが発生する吸引力により吸塵口から流入させた気流に含まれている塵埃を除去する集塵装置において、水（液体）を入れた集塵容器を配置して集塵することにより、粉塵を容器内の水で補足することにより、排気の粉塵を除去するものである。
【０００７】また、集塵モータにより集塵装置を経由して吸塵する際、集塵容器内の水（液体）がモータ・ファン部に吸引され流入することを防止するためモータ・ファン部と集塵容器の繋ぎ部に板状体を設置するとともに、吸引のため細孔を有するパイプ状吸引装置を設置する。
【０００８】また集塵容器から外部への水漏れ防止のため、集塵容器への吸塵口から導かれる吸塵パイプの途中に、水の逆流防止弁を設置する。
【０００９】また、前記集塵容器へ導かれる吸塵パイプは、水の逆流防止のため、途中で折れ曲がった形状を採ることで、内部の水が外に漏れ出ることを防止できる。
【００１０】また、集塵装置は、モータ・ファン部と着脱自在であり、ごみが溜まった時点で集塵装置を取り外し、集塵容器の上部の蓋を開けて水とともにごみを捨て、容器内洗浄後、水（液体）を入れ替えることで元の状態にすることができる。これにより、集塵能力も回復し、再度掃除を続けることができる。
【発明を実施するための最良の形態】
【００１１】以下、添付図面を参照しながら、本発明の実施の形態を詳細に説明する。【００１２】図１および図２は、本発明の一実施例にかかる掃除機の概略構成を示している。【００１３】図２において、掃除を開始するとモータ・ファン部１の回転により吸引装置４の細孔を有するパイプｂを介して集塵装置の空気を吸引する。同時に集塵容器のモータ部側の領域は吸引により負圧となることから、内部の水は回転及び移動を起こし、吸塵口８から吸い込まれた気流は吸塵パイプ７及び集塵装置容器内２の水を通過して、吸塵が開始される。【００１４】また集塵装置２内では、吸引された気流とともに飛散した水もモータ・ファン部１に侵入する現象を起こす。これを防止するため、板状体を付した吸引装置４を設置する。図３は吸引装置４の詳細を示す。飛散した水は板状体ａに当りモータ部へは侵入できず、気流のみが複数の細孔ｃを通して、パイプｂ内を通過してモータ・ファン部へ流れる。また集塵装置容器内の水が直接吸引装置に飛散しないよう整流板１０を設置すると、より効果的に吸引装置４への水の飛散が防止できる。【００１５】前記図３におけるパイプｂにあけた細孔ｃの大きさや数は、そのモータの吸引力（風量）や集塵容器の水量に応じて、適正に設定する。【００１６】また集塵装置２の集塵容器蓋６内を、吸引装置４のパイプｂが通過し、そのパイプｂ内を気流がモータ・ファン部１に流れる構造をとる。集塵容器蓋を図４に示す。【００１７】また集塵容器２から外部への水漏れ防止のため、集塵容器への吸塵口８から導かれる吸塵パイプ７の途中に、水の逆流防止弁５を設置する。【００１８】また、前記集塵容器２へ導かれる吸塵パイプ７は、水の逆流防止のため、途中で折れ曲がった形状を採ることで、内部の水が外に漏れ出ることを防止できる。【００１９】このようにして吸塵を行なった結果、吸塵された塵埃・ごみ・粉塵は集塵装置容器２内に溜まり、排気口９により粉塵等が外部に排出されることはない。【００２０】前記ごみ等が溜まった時点で、掃除機モータ・ファン部と集塵装置との繋ぎ部３をはずし、集塵装置の容器蓋６を開けて水とともにごみを捨て、容器内洗浄後、水（液体）を入れ替えることで元の状態にすることができる。また容器蓋６及び吸引装置４ともに取り外して、洗浄することができる。
これにより、集塵能力も回復し、再度掃除を続けることができる。
【発明の効果】
【００２１】以上説明したように、本発明によれば、掃除機の吸塵により集塵装置内に送られた塵埃・粉塵は、容器内の水にて補足され、排気の気流に含まれ掃除機外部に排出されることはない。またモータ・ファン部と集塵装置の繋ぎ部に、吸引装置を取り付けることにより、集塵装置の水がモータ・ファン部に流入することを防止して吸引できる。この掃除機では、紙フィルターは必要としない。
【図面の簡単な説明】
【００２２】
【図１】本発明の一実施例にかかる掃除機の概略構成を示した概略構成図。
【図２】本発明の一実施例にかかる集塵装置の概略構成を示した概略構成図。
【図３】本発明の一実施例にかかる集塵装置の吸引装置の概略構成を示した概略構成図
【図４】本発明の一実施例にかかる集塵装置の容器蓋部の概略構成を示した概略構成図
【符号の説明】
【００２３】（図２）
１  掃除機モータ・ファン部
２  集塵装置
３  掃除機モータ・ファン部と集塵装置との繋ぎ部（着脱自在）
４  吸引装置
５  逆流防止弁
６  集塵装置容器蓋
７  吸塵パイプ
８  吸塵口
９  排気口
１０  整流板
（図３）
ａ  板状体
ｂ  パイプ
ｃ  細孔
【図１】
2006239362.tif 000003
【図２】
2006239362.tif 000004
【図３】
2006239362.tif 000005
【図４】
2006239362.tif 000006